(57)【要約】【課題】遊技機や机など既設物への設置作業が容易であって、かつ、仕切り板を容易に着脱することができる仕切り板構造を提供することを課題とする。【解決手段】仕切り板構造１によれば、設置面２の一部に取り付けられた第一係合部３と、空間を仕切る仕切り板５と、仕切り板５の一方の端部に取り付けられ、第一係合部３に係合される第二係合部４と、を有する仕切り板構造１であって、第一係合部３は、設置面２に取り付けられた基軸部３ａと、基軸部３ａの先端側に形成された突起部３ｂと、を有し、第二係合部４は、基軸部３ａに係合されるスリット部４ｃを備えた本体部４ａと、本体部４ａと仕切り板５とを所定の間隔を開けて連結する連結部４ｂと、を有し、スリット部４ｃが基軸部３ａに係合されて仕切り板５が支持されることを特徴とする【選択図】図２
2008136714.tif 000002
【特許請求の範囲】
【請求項１】
遊技機が隣接して配置される遊技機島の前記遊技機間に着脱自在に設けられる仕切り板を備えた仕切り板構造であって、
前記仕切り板構造は、
前記遊技機間における空間を仕切る前記仕切り板と、
前記遊技機間における設置面又は前記仕切り板の端面のいずれか一方に取り付けられる第一係合部と、前記設置面又は前記端面のいずれか他方に取り付けられる第二係合部と、を有し、
前記第一係合部と、前記第二係合部とが着脱自在に係合支持されることを特徴とする仕切り板構造。
【請求項２】
前記第一係合部は、
前記設置面又は前記端面のいずれか一方の面から突出する基軸部と、
この基軸部の先端側に取り付けられ、前記基軸部の軸径より大きく形成した突起部と、を有し、
前記第二係合部は、
前記基軸部に係合されるスリット部を備えた本体部と、
前記設置面又は前記端面のいずれか他方の面と前記本体部とを連結する連結部と、を有し、
前記スリット部と前記基軸部とが着脱自在に係合支持されることを特徴とする請求項１に記載の仕切り板構造。
【請求項３】
前記第一係合部は、
前記設置面及び前記端面のいずれか一方の面から突出する基体部と、
この基体部に形成された穴部と、を有し、
前記第二係合部は、
前記穴部に係合される挿入部と、
前記設置面又は前記端面のいずれか他方の面と前記挿入部とを連結する連結部と、を有し、
前記穴部と前記挿入部とが着脱自在に係合支持されることを特徴とする請求項１に記載の仕切り板構造。
【発明の詳細な説明】
【技術分野】
【０００１】
本発明は、連続して配設されるパチンコ台及びパチスロ台等の遊技機の間に、空間を仕切るために設置される仕切り板構造に関する。
【背景技術】
【０００２】
昨今、煙草の煙による健康被害が声高に叫ばれるようになり、喫煙者の分煙に対するマナーだけでなく、公共施設、遊技施設等の管理者側にも分煙に対する取り組み姿勢が問われている。
このような背景に鑑みて、例えば、特許文献１には、パチンコ台及びパチスロ台等の遊技機の一側端に、空間を仕切るための仕切り板構造を設置した遊技機が記載されている。当該仕切り板構造は、仕切り板の一端部が回動可能に軸支されており、他端部を把持して面内方向に回動させることで、仕切り板を出し入れ自在とするものである。
かかる構成により、遊技者は必要な場合に仕切り板を回動させることで、遊技者間の空間を仕切ることができ、遊技者の煙草の煙が隣席に拡散すること防止することができる。また、遊技に集中できる好適な遊技空間を形成することができたり、遊技機の音の拡散を防止したりすることができる。一方、仕切り板が不要な場合には、仕切り板を押し込むことで開放的な空間を形成することができる。
【０００３】
一方、遊技施設等の管理者には、仕切り板構造を有さない既設のパチンコ台やパチスロ台であっても、曜日や時間帯に応じて適宜仕切り板を設置したり、取り外したりして、分煙スペースを確保することで、より利用者ニーズに応じたスペースを提供することが望まれている。
【０００４】
【特許文献１】特開平７−１８５１１４号公報（図１１）
【発明の開示】
【発明が解決しようとする課題】
【０００５】
しかしながら、例えば遊技施設において、連続に配設された既設の遊技機島に、特許文献１に係る発明の仕切り板構造を設置すると、仕切り板を収納するためのスペースを確保するために遊技機を移動しなければならず、設置作業が煩雑であった。また、仕切り板構造を設置するための設置幅を要するため、遊技機の設置台数が減少するなどの不都合が生じたりした。
一方、例えばアクリル板からなる仕切り板を、公知の受け金物及びネジ等の定着具を介して、連続に配設された既設の遊技機島に直接設置する構造も考えられる。
しかし、当該遊技機島に直接設置する構造にすると、取り付け、取り外しの作業が煩雑になり、利用者ニーズに応じて適宜仕切り板の設置箇所を変える作業が困難になるという問題があった。
本発明は、かかる課題を解決するためになされたものであり、既設の遊技機島への設置作業が容易であって、かつ、仕切り板を容易に着脱することができる仕切り板構造を提供することを課題とする。
【課題を解決するための手段】
【０００６】
このような課題を解決するために創案された発明は、遊技機が隣接して配置される遊技機島の前記遊技機間に着脱自在に設けられる仕切り板を備えた仕切り板構造であって、前記仕切り板構造は、前記遊技機間における空間を仕切る前記仕切り板と、前記遊技機間における設置面又は前記仕切り板の端面のいずれか一方に取り付けられる第一係合部と、前記設置面又は前記端面のいずれか他方に取り付けられる第二係合部と、を有し、前記第一係合部と、前記第二係合部とが着脱自在に係合支持されることを特徴とする。
【０００７】
かかる構成によれば、使用者が仕切り板を把持し、設置面に沿うように仕切り板を移動させることにより、設置面及び端面のいずれかに一方に取り付けられた第一係合部と、設置面及び端面のいずれかに他方に取り付けられた第二係合部とを、着脱自在に係合支持することができる。
また、第一係合部及び第二係合部は、設置面及び端面のいずれか一方に第一係合部を、いずれか他方に第二係合部をそれぞれ取り付けることにより、既設の遊技機島であっても仕切り板構造を容易に設置することができる。
【０００８】
また、本発明は、前記第一係合部は、前記設置面又は前記端面のいずれか一方の面から突出する基軸部と、この基軸部の先端側に取り付けられ、前記基軸部の軸径より大きく形成した突起部と、を有し、前記第二係合部は、前記基軸部に係合されるスリット部を備えた本体部と、前記設置面又は前記端面のいずれか他方の面と前記本体部とを連結する連結部と、を有し、前記スリット部と前記基軸部とが着脱自在に係合支持されることを特徴とする。
【０００９】
かかる構成によれば、使用者が仕切り板を把持し、設置面に沿うように上方から下方に向けて移動させることにより、設置面又は端面のいずれか一方の面から突出する基軸部と、他方の面に取り付けられたスリット部とを係合支持することができる。また、支持状態にある仕切り板を設置面に沿うように上方に移動させると、係合状態が解除されて、仕切り板を取り外すことができる。これにより、仕切り板を着脱自在に係合支持させることができる。また、基軸部の軸径よりも大きく形成した突起部を有するため、スリット部が基軸部から脱落するのを防止することができる。
【００１０】
また、本発明は、前記第一係合部は、前記設置面及び前記端面のいずれか一方の面から突出する基体部と、この基体部に形成された穴部と、を有し、前記第二係合部は、前記穴部に係合される挿入部と、前記設置面又は前記端面のいずれか他方の面と前記挿入部とを連結する連結部と、を有し、前記穴部と前記挿入部とが着脱自在に係合支持されることを特徴とする。
【００１１】
かかる構成によれば、使用者が仕切り板を把持し、設置面に沿うように上方から下方に向けて移動させることにより、設置面又は端面のいずれか一方の面に取り付けられた挿入部と、他方の面に突出する基体部の穴部とを係合支持することができる。また、支持状態にある仕切り板を設置面に沿うように上方に移動させると、係合状態が解除されて仕切り板を取り外すことができる。これにより、仕切り板構造を着脱自在に係合支持させることができる。
【発明の効果】
【００１２】
本発明にかかる仕切り板構造によれば、既設の遊技機島への設置作業が容易であって、かつ、仕切り板を着脱容易に係合支持することができるため、より遊技者ニーズに合った遊技空間を形成することができる。
【発明を実施するための最良の形態】
【００１３】
本発明の実施形態について図面を参照して詳細に説明する。図１は、第一実施形態に係る仕切り板構造を示した全体斜視図である。図２は、第一実施形態における支持部において、支持前の状態を示した斜視図である。図３は、第一実施形態に係る第一係合部を図２のＡ矢視方向からみた正面図である。図４は、第一実施形態に係る第二係合部を図２のＡ矢視方向からみた正面図である。図５は、第一実施形態に係る仕切り板構造の支持状態を示した側面図である。なお、第一実施形態の説明において、上下左右前後は、図１の矢印に従う。
【００１４】
［第一実施形態］
第一実施形態に係る仕切り板構造１の説明においては、図１に示すように、連続して配設された既設の遊技機Ｆ，Ｆ・・・によって形成された遊技機島Ｅにおいて、遊技機Ｆと遊技機Ｆの間に配設された間柱Ｇ，Ｇ・・・の柱面２（設置面２）に、第一実施形態に係る仕切り板構造１が設置される場合を例にする。
第一実施形態に係る仕切り板構造１は、図１及び図２に示すように、既設の遊技機島Ｅの一部である設置面２に取り付けられた第一係合部３と、仕切り板５の一端に取り付けられた第二係合部４とを備えており、一対の第一係合部３と第二係合部４とで支持部Ｚを構成している。第一実施形態に係る仕切り板構造１においては、支持部Ｚを仕切り板５の上部及び下部に二箇所設けている。
【００１５】
設置面２は、図１及び図２に示すように、第一実施形態においては、遊技機Ｆと遊技機Ｆの間に垂直に配設された間柱Ｇの一部であって、表面が平坦に形成されている。
なお、第一実施形態に係る設置面２はあくまで例示であって、前記した設置面２に限定されるものではない。例えば、遊技機Ｆの両端において、遊技機Ｆの表面から前方に向けて突出するように形成された設置面であってもよい。
【００１６】
第一係合部３は、図２及び図３に示すように、設置面２から突出し、後記する第二係合部４に係合されることにより、仕切り板５を支持する部材である。第一実施形態における第一係合部３は、鋼製であって、一端が設置面２に固定される基軸部３ａと、基軸部３ａの他端に取り付けられた突起部３ｂとからなる。基軸部３ａは、後記するスリット部４ｃに当接される部材であって、円柱形状を呈し設置面２から略垂直に突出している。突起部３ｂは、図２及び図３に示すように、正面視円形を呈する板材であって、基軸部３ａの他端に、基軸部３ａに対して略垂直に取り付けられている。突起部３ｂは、後記するスリット部４ｃが基軸部３ａから脱落しないように、基軸部３ａの他端側に取り付けられる部材である。
図３に示すように、基軸部３ａの軸径Ｗ１と突起部３ｂの直径Ｗ２は、Ｗ１＜Ｗ２となるように形成されている。基軸部３ａと突起部３ｂの中央には、ネジ孔３ｃが穿設されており、ネジ等の定着具３ｄにより設置面２に取り付けられている。
【００１７】
なお、第一係合部３は、第一実施形態においては鋼製としたが、これに限定されるものではなく、木製や樹脂製等であってもよい。また、定着具３ｄを用いず、公知の接着剤などを用いて設置面２に第一係合部３を取り付けてもよい。また、第一実施形態においては、基軸部３ａ及び突起部３ｂ共に平面視円形に形成したが、これに限定されるものではなく、平面視多角形状であってもよい。
【００１８】
第二係合部４は、図２及び図４に示すように、第一係合部３に係合されて仕切り板５を支持する部材である。第一実施形態における第二係合部４は、鋼製であって、本体部４ａと、本体部４ａとサッシ６を連結する連結部４ｂとからなる。
【００１９】
本体部４ａは、図２に示すように、仕切り板５の一端に設けたサッシ６の端面６ａから一定の距離を開けて取り付けられ、第一係合部３に係合支持される部材である。第一実施形態における本体部４ａは、スリット部４ｃを有する円板部４ｄと、円板部４ｄから延設された留め付け部４ｅとを有する。図４に示すように、円板部４ｄは、平面視略円形の板材であって、円板部４ｄの中央から縁部に向けて切り欠いて形成されたスリット部４ｃを有する。スリット部４ｃの幅Ｗ３は、基軸部３ａの直径Ｗ１と略同等に形成されている。また、円形に切り欠かれたスリット部４ｃの閉端側の直径Ｗ３’も、Ｗ１と略同等に形成されている。
留め付け部４ｅは、本体部４ａの縁部から突出するように延設され、平面視略矩形に形成されている。留め付け部４ｅには、連結部４ｂ，４ｂが間隔を開けて取り付けられている。
【００２０】
連結部４ｂは、図２及び図４に示すように、サッシ６と本体部４ａとを一定の間隔を開けて連結する円柱状の部材であって、留め付け部４ｅから垂直に突出している。本体部４ａは、連結部４ｂ及び留め付け部４ｅを貫通するネジ孔４ｆを介して、ネジ等の定着具（図示省略）によりサッシ６に取り付けられている。
【００２１】
なお、第一実施形態においては、円柱状の連結部４ｂが二箇所に取り付けられているが、これに限定されるものではなく、仕切り板５の重量等を考慮して、適宜形状及び個数を設定すればよい。また、第一実施形態においては、第二係合部４とサッシ６とをネジ等の定着具により取り付けたが、公知の接着剤等で取り付けてもよい。また、第一実施形態においては、留め付け部４ｅを形成したが、これに限定されるものではなく、円板部４ｄに連結部４ｂを取り付けてもよい。また、第一実施形態においては、本体部４ａの形状は前記したように形成したが、これに限定されるものではなく、他の形状であってもよい。
【００２２】
ここで、第一係合部３と第二係合部４に係る各部材の板厚について説明する。
図５に示すように、第二係合部４の本体部４ａは、第一係合部３の基軸部３ａに嵌挿されるため、本体部４ａの板厚Ｑと、基軸部３ａの長さＰは、Ｐ＞Ｑとなるように形成されている。
また、本体部４ａは、サッシ６から突起部３ｂの板厚分は間隔を開けなければならないので、連結部４ｂの長さＲと、突起部３ｂの板厚Ｓは、Ｒ＞Ｓとなるように形成されている。なお、第一実施形態においては、Ｐは、Ｑよりも若干大きく、また、Ｒは、Ｓよりも若干大きくなるように形成されている。これにより、設置面２とサッシ６間距離Ｘが極力小さくなるように形成されている。
【００２３】
前記した寸法は、第一係合部３及び第二係合部４の素材、形状、強度及び仕切り板５の重量等を考慮して適宜設定すればよい。なお、第一実施形態においては、図１に示すように、仕切り板５の上下二箇所に第一係合部３及び第二係合部４からなる一対の支持部Ｚを取り付けているが、これに限定されるものではなく、仕切り板５の大きさ、重量等を考慮して１箇所又は３箇所以上の支持部Ｚを取り付けてもよい。
【００２４】
仕切り板５は、図１、図２及び図５に示すように、空間を仕切る板材である。仕切り板５の一端側には、断面視コの字形に形成されたサッシ６が、仕切り板５の一端を覆うように、長手方向に亘って取り付けられている。図２に示すように、サッシ６の端面６ａには、第二係合部４の連結部４ｂが端面６ａから垂直に取り付けられている。仕切り板５は、第一実施形態においては、平面視矩形の薄いアクリル樹脂板を用いており、仕切り板５の他端側の２箇所を円弧状に面取り加工（図１参照）して形成されている。
【００２５】
なお、第一実施形態においては、仕切り板５にアクリル樹脂を用いたが、これに限定されるものではなく、木材、鋼、樹脂等他の素材であってもよい。また、仕切り板５の大きさは、第一実施形態においては、遊技機Ｆ，Ｆの間を仕切るものであるため、例えば、縦横７０ｃｍ×４０ｃｍ、厚さ５ｍｍに形成したが、これに限定されるものではなく、使用用途に応じて適宜設定すればよい。また、サッシ６を設けず、第二係合部４を仕切り板５に直接取り付けてもよい。
【００２６】
＜着脱方法＞
次に、仕切り板構造１の着脱方法について説明する。
まず、図２に示すように、設置面２の所望の位置に第一係合部３を取り付ける。一方、仕切り板５にサッシ６を介して第二係合部４を取り付ける。支持部Ｚは、図１に示すように、第一実施形態においては、仕切り板５の上下２箇所に設置するため、設置面２に取り付ける上側の第一係合部３と下側の第一係合部３の間隔と、仕切り板５に取り付ける上側の第二係合部４と下側の第二係合部４の間隔が同等になるように取り付ける。
そして、図２に示すように、第二係合部４（仕切り板５）を第一係合部３の上方から、設置面２に沿って下方に向かって移動させ、第一係合部３の基軸部３ａに第二係合部４のスリット部４ｃを係合させて、支持させる。
【００２７】
一方、仕切り板５を設置面２に沿って上方に引き抜くと、基軸部３ａからスリット部４ｃが外れるため、仕切り板５を設置面２から取り外すことができる。
なお、基軸部３ａの形状と、スリット部４ｃの形状は、略同等に形成し両者が密接に当接することが好ましい。これにより、第一係合部３と第二係合部４がガタつくことなく安定して支持することができる。
【００２８】
以上説明した仕切り板構造１によれば、使用者が仕切り板５を把持し、設置面２に沿って上方から下方に向けて移動させることにより、第一係合部３から突出した基軸部３ａに、第二係合部４に形成されたスリット部４ｃを係合支持することができる。また、仕切り板５を設置面２に沿って上方に引き抜くだけで、仕切り板５を取り外すことができるため、仕切り板５を着脱容易に係合支持することができる。
また、第一係合部３及び第二係合部４は、設置面２及び端面６ａのいずれか一方に第一係合部３を、いずれか他方に第二係合部４をそれぞれ取り付けることにより、既設の遊技機島Ｅであっても仕切り板構造１を容易に設置することができる。
【００２９】
また、図５に示すように、基軸部３ａの先端側に、基軸部３ａの軸径Ｗ１よりも大きい直径Ｗ２を有する突起部３ｂを有しているため、仕切り板５が基軸部３ａから脱落するのを防止することができる。
【００３０】
また、図５に示すように、基軸部３ａの長さＰを、本体部４ａの板厚Ｑに極力近づけることにより、仕切り板５を支持した場合において、仕切り板５が前後方向（図５の紙面左右方向）に移動することなく、安定して支持することができる。
【００３１】
また、連結部４ｂの長さＲを、突起部３ｂの板厚Ｓに極力近づけることにより、連結部４ｂに作用するモーメントを小さくすることができる。これにより、連結部４ｂに作用する荷重を小さくすることができるため、連結部４ｂの破損を防止することができる。
また、基軸部３ａの軸径Ｗ１と、スリット部４ｃの閉端側の直径Ｗ３’（図４参照）は、略同等に形成されているため、基軸部３ａとスリット部４ｃとが密接に当接し、仕切り板５のガタつきを防止することができる。
【００３２】
また、仕切り板５が着脱容易であるため、仕切り板５自体の清掃や、設置面２（図１参照）の清掃を容易に行うことができる。また、第一係合部３及び第二係合部４は、設置面２の一部及び端面６ａの一部に取り付ければよく、占有面積も小さいため、設置面２及び仕切り板５の清掃にも好適である。また、仕切り板構造１の設置作業が容易であると共に、第一係合部３、第二係合部４は大量生産が可能であるため、比較的安価に仕切り板構造１を設置することができる。
また、遊技機Ｆの機種を問わず、仕切り板構造１を設置することができるため、汎用性を有する。
【００３３】
以上、本発明の最良の実施形態について説明したが、これに限定されるものではなく、本発明の趣旨を反しない範囲において適宜変更が可能である。以下に説明する第二実施形態乃至第五実施形態の説明においては、第一実施形態と重複する説明は省略し、重複する部材においては同じ符号を用いる。
【００３４】
［第二実施形態］
第二実施形態に係る仕切り板構造は、具体的な図示はしないが、図２を参照して説明する。第二実施形態に係る仕切り板構造は、第一実施形態に係る第一係合部３を仕切り板５に取り付け、さらに、第二係合部４を設置面２に取り付けることを特徴とする。即ち、仕切り板５に取り付けた第一係合部３の基軸部３ａを、設置面２に取り付けた第二係合部４のスリット部４ｃに係合させて支持する。
このような構成であっても、前記した第一実施形態と同等の効果を発揮することができる。
【００３５】
［第三実施形態］
図６は、第三実施形態における支持部において、支持前の状態を示した斜視図である。図７は、第三実施形態における仕切り板構造の支持状態を示した側面図である。図８は、図６のＢ矢視方向において、第三実施形態における仕切り板構造の支持状態を示した断面図である。
【００３６】
第三実施形態に係る仕切り板構造２０は、図６及び図７に示すように、第一係合部１３及び第二係合部１４を用いる点において第一実施形態に係る仕切り板構造１と相違する。即ち、第一係合部１３は、第一係合部１３に形成された穴部１３ｂを有し、第二係合部１４は、穴部１３ｂに嵌挿される挿入部１４ａを有することを特徴とする。
【００３７】
第一係合部１３は、図６に示すように、後記する第二係合部１４に係合され、仕切り板５を支持する部材である。第一係合部１３は、略円柱形状を呈し、設置面２に取り付けられる基体部１３ａを有し、設置面２に対して垂直に取り付けられている。また、図７及び図８に示すように、基体部１３ａには、本実施形態においては、側面から中心に向かって一定の幅Ｈで切り欠かれた穴部１３ｂが形成されている。
穴部１３ｂは、図８に示すように、後記する第二係合部１４の挿入部１４ａが嵌挿される部分である。第三実施形態における穴部１３ｂは、正面視円弧を描くように切り欠かれており、ここでは後記する挿入部１４ａの直径と略同等に形成されている。なお、穴部１３ｂは、第三実施形態においては、溝状に形成されているが、これに限定されるものではなく、穴の入口から出口に向けて貫通するように穴部を形成してもよい。
また、図７に示すように、本実施形態においては、基体部１３ａの上部に、挿入部１４ａを挟持する挟持板１３ｃ，１３ｃ’が形成されている。
【００３８】
第二係合部１４は、図６及び図８に示すように、平面視円形状を呈する挿入部１４ａと、挿入部１４ａとサッシ６を連結する連結部１４ｂ，１４ｂとからなる。挿入部１４ａは、第一係合部１３の穴部１３ｂに係合される部材であって、正面視円形を呈し、設置面２と平行に設けられている。挿入部１４ａの一部には、サッシ６と挿入部１４ａとを連結する連結部１４ｂ，１４ｂが取り付けられている。連結部１４ｂは、図７に示すように、挿入部１４ａから垂直に設けられており、サッシ６を両側から挟持してネジ等の定着具（図示省略）で取り付けられている。
【００３９】
図７に示すように、挿入部１４ａは穴部１３ｂに係合されるため、穴部１３ｂの幅Ｈと、挿入部１４ａの幅Ｉは、Ｈ＞Ｉとなるように形成されている。また、第二係合部１４のうち、挿入部１４ａを挟持する挟持板１３ｃ，１３ｃ’のうち、先端側に位置する挟持板１３ｃ’の板厚Ｋと、サッシ６の端面６ａから挿入部１４ａまでの幅Ｊは、Ｊ＞Ｋとなるように形成されている。
【００４０】
以上のように形成された第三実施形態によれば、図６に示すように、使用者が仕切り板５を把持し、設置面２に沿って上方から下方に移動させることにより、第一係合部１３に形成された穴部１３ｂに、第二係合部１４の挿入部１４ａを係合支持することができる。また、仕切り板５を設置面２に沿って上方に引き抜くだけで、仕切り板５を取り外すことができるため、仕切り板５を着脱容易に係合支持することができる。
【００４１】
また、図８に示すように、切り欠かれた穴部１３ｂの円弧部分と、挿入部１４ａは、略同等の直径からなるため、穴部１３ｂに挿入部１４ａを係合させると、穴部１３ｂと挿入部１４ａが密接し、安定して支持することができる。また、図７に示すように、挿入部１４ａの幅Ｉを、穴部１３ｂの幅Ｈに近づけることにより、仕切り板５が前後方向（紙面左右方向）に移動することなく安定して支持することができる。
【００４２】
また、挿入部１４ａを穴部１３ｂに係合させる際には、挿入部１４ａが仕切り板５の自重により、穴部１３ｂの円弧に沿って摺動しながら中央位置に誘導されるため、支持作業を容易に行うことができる。
また、仕切り板５が支持されている状態において、仕切り板５の面外方向に外的作用が加えられた場合であっても、挿入部１４ａが穴部１３ｂの円弧に沿ってスライドすることで加えられた力を逃がすことできるため、仕切り板５の破損を防止することができる。
【００４３】
［第四実施形態］
第四実施形態に係る仕切り板構造は、具体的な図示はしないが、図６を参照して説明する。第四実施形態に係る仕切り板構造は、第三実施形態にかかる第一係合部１３を仕切り板５に取り付け、さらに、第二係合部１４を設置面２に取り付けることを特徴とする。即ち、第四実施形態に係る仕切り板構造によれば、仕切り板５に取り付けた第一係合部１３の穴部１３ｂを、設置面２に取り付けた挿入部１４ａに係合させて支持することができる。このような構成であっても、前記した第三実施形態と同等の効果を発揮することができる。
【００４４】
なお、穴部１３ｂ及び挿入部１４ａの直径は、第三実施形態及び第四実施形態においては、略同等としたが、これに限定されるものではなく、挿入部１４ａの直径を穴部１３ｂの直径よりも小さく形成してもよい。また、穴部１３ｂ及び挿入部１４ａは、円形状としたが、これに限定されるものではなく、例えば、両者を多角形状に形成してもよい。穴部１３ｂ及び挿入部１４ａが係合した場合に安定して支持できる形状であることが好ましい。
【００４５】
また、具体的な図示はしないが、第三実施形態及び第四実施形態においては、基体部１３ａを凹設して穴部１３ｂを形成したが、これに限定されるものではない。即ち、穴部１３ｂは、第三実施形態及び第四実施形態においては、溝状に形成したが、基体部１３ａを上下方向に貫通するように環状に形成してもよい。例えば、上下方向に貫通するように円環状に形成された穴部に、上下方向に延在する円柱状の挿入部を係合支持させて仕切り板構造を形成してもよい。
【００４６】
［第五実施形態］
図９は、第五実施形態に係る仕切り板構造の支持前の状態を示した斜視図である。第五実施形態に係る仕切り板構造４０は、図９に示すように、仕切り板５の下部に設置面２に取り付けられた嵌合部４１を有する点において相違する。
【００４７】
嵌合部４１は、設置面２に取り付けられる基面４１ａと、基面４１ａの両端からそれぞれ垂直に延設された挟持面４１ｂ，４１ｂとを有する。挟持面４１ｂ，４１ｂ間の距離は、サッシ６の幅と略同等に形成されている。また、挟持面４１ｂ，４１ｂの先端側には、先端側が両外側に向けて離間するように拡開された拡開部４１ｃ，４１ｃが形成されている。基面４１ａは、ネジ等の定着具（図示省略）で設置面２に取り付けられている。
【００４８】
かかる構成によると、使用者は、仕切り板５を把持して、仕切り板５の上部に係る第一係合部３と第二係合部４を係合させると共に、挟持面４１ｂ，４１ｂの間に仕切り板５を挿入させることで、仕切り板５の下部を嵌合部４１に嵌合させることができる。これにより、仕切り板５を着脱自在に係合支持することができる共に、仕切り板５が挟持面４１ｂ，４１ｂによって挟持されるため、仕切り板５の下部を安定して支持することができる。
即ち、第一実施形態乃至第四実施形態においては、仕切り板５の上部及び下部の支持部Ｚ，Ｚには、一対の第一係合部３及び第二係合部４、又は、一対の第一係合部１３及び第二係合部１４をそれぞれ２箇所ずつ設けたが、これに限定されるものではなく、第５実施形態に係るように、仕切り板５の上部に一対の第一係合部３及び第二係合部４を設けると共に、下部に嵌合部４１とを設置して、仕切り板５を係合支持してもよい。
【００４９】
また、嵌合部４１には、拡開部４１ｃ，４１ｃが形成されているため、仕切り板５が拡開部４１ｃに誘導されて容易に嵌合させることができる。また、第一実施形態に係る仕切り板構造１の仕切り板５の上部及び下部の支持部Ｚ，Ｚを好適に係合させるためには、第一係合部３，３間距離と第二係合部４，４間距離を高精度に等間隔にしなければならなかった。しかし、第五実施形態によれば、嵌合部４１に相対する金具を仕切り板５に要しないため、仕切り板構造４０の設置作業を容易に行うことができる。
【００５０】
なお、挟持板４１ｂ，４１ｂ間を先端側に向けて幅狭となるように形成してもよい。このように形成すると、挟持板４１ｂ，４１ｂ間に仕切り板５を挟持した場合に付勢力を付与することができるため、より強固に支持することができる。
また、嵌合部４１の基面４１ａを、設置面２からサッシ６までの長さＸ（図５参照）と略同等の厚みとなるように形成してもよい。これにより、仕切り板５を傾斜せずに係合支持することができる。
【図面の簡単な説明】
【００５１】
【図１】本発明の第一実施形態に係る仕切り板構造を示した全体斜視図である。
【図２】本発明の第一実施形態に係る支持部において、支持前の状態を示した斜視図である。
【図３】本発明の第一実施形態に係る第一係合部を図２のＡ矢視方向からみた正面図である。
【図４】本発明の第一実施形態に係る第二係合部を図２のＡ矢視方向からみた正面図である。
【図５】本発明の第一実施形態に係る仕切り板構造の支持状態を示した側面図である。
【図６】本発明の第三実施形態における支持部において、支持前の状態を示した斜視図である。
【図７】本発明の第三実施形態における仕切り板構造の支持状態を示した側面図である。
【図８】図６のＢ矢視方向において、本発明の第三実施形態における仕切り板構造の支持状態を示した断面図である。
【図９】本発明の第五実施形態に係る仕切り板構造の支持前の状態を示した斜視図である。
【符号の説明】
【００５２】
１      仕切り板構造
２      設置面
３      第一係合部
３ａ    基軸部
３ｂ    突起部
４      第二係合部
４ａ    本体部
４ｂ    連結部
４ｃ    スリット部
５      仕切り板
１３    第一係合部
１３ａ  基体部
１３ｂ  穴部
１４    第二係合部
１４ａ  挿入部
１４ｂ  連結部
Ｅ      遊技機島
Ｆ      遊技機 
【図１】
2008136714.tif 000003
【図２】
2008136714.tif 000004
【図３】
2008136714.tif 000005
【図４】
2008136714.tif 000006
【図５】
2008136714.tif 000007
【図６】
2008136714.tif 000008
【図７】
2008136714.tif 000009
【図８】
2008136714.tif 000010
【図９】
2008136714.tif 000011